(57)【要約】  点滴状態検出装置（１０）は、ノズル（５５）の下端（５５ａ）から液滴を滴下させる点滴筒（５０）の状態を検出する装置であって、ノズル（５５）の下端（５５ａ）において成長し、その後ノズル（５５）の下端（５５ａ）から滴下するまでの液滴を撮影する撮影部（２２）と、撮影部（２２）による撮影によって得られた画像データに基づき点滴筒（５０）の状態を検出する状態検出部（２０３）とを備え、状態検出部（２０３）は、液滴の成長中の互いに異なる少なくとも３以上の複数タイミングにおいて撮影部（２２）の撮影によって得られた少なくとも３以上の複数の画像データに基づき液滴の移動方向を算出し、当該移動方向に基づき点滴筒（５０）の状態を検出する。
2019167636.tif 000002
【特許請求の範囲】
【請求項１】
ノズルの下端から液滴を滴下させる点滴筒の状態を検出する点滴状態検出装置であって、
前記ノズルの下端において成長し、その後前記ノズルの下端から滴下するまでの液滴を撮影する撮影部と、
前記撮影部による撮影によって得られた画像データに基づき前記点滴筒の状態を検出する状態検出部とを備え、
前記状態検出部は、前記液滴の成長中の互いに異なる少なくとも３以上の複数タイミングにおいて前記撮影部の撮影によって得られた少なくとも３以上の複数の画像データに基づき前記液滴の移動方向を算出し、当該移動方向に基づき前記点滴筒の状態を検出する、点滴状態検出装置。
【請求項２】
前記状態検出部は、前記複数の画像データのそれぞれにおいて前記液滴の中心位置を算出し、当該中心位置の移動方向を前記液滴の移動方向とする、請求項１に記載の点滴状態検出装置。
【請求項３】
前記状態検出部は、前記複数の画像データのそれぞれにおいて前記液滴の外形に対してフィッティングする円を作成し、当該円の中心位置を前記液滴の中心位置とする、請求項２に記載の点滴状態検出装置。
【請求項４】
前記点滴筒の状態は、当該点滴筒の傾斜であり、
前記状態検出部は、前記ノズルの下端に垂直な方向に対する前記液滴の移動方向の傾斜を算出し、当該傾斜に基づき前記点滴筒の傾斜を検出する、請求項１〜請求項３のいずれか１項に記載の点滴状態検出装置。
【請求項５】
前記点滴筒の状態は、当該点滴筒の振動であり、
前記状態検出部は、前記液滴の移動方向のばらつきを算出し、当該ばらつきに基づき前記点滴筒の振動を検出する、請求項１〜請求項４のいずれか１項に記載の点滴状態検出装置。
【請求項６】
前記状態検出部は、前記複数の画像データのそれぞれにおいて算出した前記液滴の中心位置に対して回帰直線を求め、当該回帰直線とそれぞれの前記液滴の中心位置との間の距離の分散値に基づき前記液滴の移動方向のばらつきを算出する、請求項５に記載の点滴状態検出装置。
【請求項７】
前記状態検出部は、前記複数の画像データのそれぞれにおいて算出した前記液滴の中心位置に基づき各中心位置の間の距離の総和を求め、当該距離の総和に基づき前記液滴の移動方向のばらつきを算出する、請求項５に記載の点滴状態検出装置。
【請求項８】
前記状態検出部は、前記複数の画像データのそれぞれにおいて算出した前記液滴の中心位置に基づき各中心位置の間の傾斜を求め、当該傾斜の分散値に基づき前記液滴の移動方向のばらつきを算出する、請求項５に記載の点滴状態検出装置。
【請求項９】
前記状態検出部は、前記複数の画像データのそれぞれにおいて算出した前記液滴の中心位置に基づき前記ノズルの下端に水平方向における各中心位置の間の距離を求め、当該距離の分散値に基づき前記液滴の移動方向のばらつきを算出する、請求項５に記載の点滴状態検出装置。
【請求項１０】
前記状態検出部は、前記複数の画像データのそれぞれにおいて算出した前記液滴の中心位置に基づき前記ノズルの下端に垂直方向における各中心位置の間の距離を求め、当該距離の分散値に基づき前記液滴の移動方向のばらつきを算出する、請求項５に記載の点滴状態検出装置。
【請求項１１】
前記状態検出部は、前記複数の画像データのそれぞれにおいて前記液滴の外形に対してフィッティングする円を作成するとともに当該円の半径を求め、当該半径の分散値に基づき前記液滴の移動方向のばらつきを算出する、請求項５に記載の点滴状態検出装置。
【請求項１２】
前記状態検出部によって検出された前記点滴筒の状態に基づき当該点滴筒の状態が異常であるか否かを判定する判定部と、
前記判定部によって前記点滴筒の状態が異常であると判定された場合に当該異常を報知する報知部とをさらに備える、請求項１〜請求項１１のいずれか１項に記載の点滴状態検出装置。
【請求項１３】
前記状態検出部によって検出された前記点滴筒の状態に基づき当該点滴筒の状態が異常であるか否かを判定する判定部をさらに備え、
前記撮影部は、前記判定部によって前記点滴筒の状態が異常であると判定された場合に前記液滴の撮影を中止する、請求項１〜請求項１１のいずれか１項に記載の点滴状態検出装置。
【請求項１４】
前記判定部は、前記状態検出部によって算出された前記点滴筒の傾斜が所定の角度の範囲外の場合に、前記点滴筒の傾斜が異常であると判定する、請求項１２または請求項１３に記載の点滴状態検出装置。
【請求項１５】
前記判定部は、前記状態検出部によって算出された前記液滴の移動方向のばらつきが所定値よりも大きい場合に、前記点滴筒の振動が異常であると判定する、請求項１２〜請求項１４のいずれか１項に記載の点滴状態検出装置。
【請求項１６】
前記判定部は、前記点滴筒の振動が異常である場合、前記点滴筒の傾斜が異常であるか否かの判定を行わない、請求項１５に記載の点滴状態検出装置。
【請求項１７】
前記報知部は、表示、発音、および発光の少なくともいずれか一方、またはこれらの組合せによって前記異常を報知する、請求項１２に記載の点滴状態検出装置。
【請求項１８】
ノズルの下端から液滴を滴下させる点滴筒と、
請求項１〜請求項１７のいずれか１項に記載の前記点滴状態検出装置とを備える点滴装置。
【請求項１９】
点滴筒のノズルの下端から成長中の液滴を撮影する撮影部を有する点滴状態検出装置において、当該点滴筒の状態を検出する点滴状態検出方法であって、
前記ノズルの下端において前記液滴が成長し、その後前記ノズルの下端から滴下するまでの互いに異なる少なくとも３以上の複数タイミングにおいて前記撮影部の撮影によって得られた少なくとも３以上の複数の画像データを取得するステップと、
取得した複数の画像データに基づき前記液滴の移動方向を算出するステップと、
当該移動方向に基づき前記点滴筒の状態を検出するステップとを含む、点滴状態検出方法。
【発明の詳細な説明】
【技術分野】
【０００１】
本発明は、点滴状態検出装置、点滴装置、および点滴状態検出方法に関する。
【背景技術】
【０００２】
従来、設置された点滴筒の状態を検出する装置が知られている。たとえば、特許文献１には、点滴筒へ液滴を滴下する点滴口の傾斜を検出する傾き検出センサを備え、当該傾き検出センサにより検出された点滴口の傾斜に基づいて、点滴口から点滴筒へ滴下される液滴の１滴当りの体積を補正する流量測定装置が開示されている。また、特許文献２には、点滴筒の振動を検出する振動検出センサを備え、当該振動検出センサにより検出された点滴筒の振動の値に基づいて、警報を発する点滴警報装置が開示されている。
【先行技術文献】
【特許文献】
【０００３】
【特許文献１】特開２０１０−１４５３３４号公報
【特許文献２】特開２０１１−２３４８０５号公報
【発明の概要】
【発明が解決しようとする課題】
【０００４】
上述した従来の装置によれば、傾斜や振動などの点滴筒の状態を専用のセンサによって検出可能であるが、そのような専用のセンサを特別に備える分、コストが増大してしまう虞があった。【０００５】
本発明は、上記の課題に鑑みてなされたものであり、コストを極力抑えながら点滴筒の状態を検出する点滴状態検出装置、点滴装置、および点滴状態検出方法を提供することを目的とする。
【課題を解決するための手段】
【０００６】
本発明の一形態に係る点滴状態検出装置は、ノズルの下端から液滴を滴下させる点滴筒の状態を検出する点滴状態検出装置であって、ノズルの下端において成長し、その後ノズルの下端から滴下するまでの液滴を撮影する撮影部と、撮影部による撮影によって得られた画像データに基づき点滴筒の状態を検出する状態検出部とを備え、状態検出部は、液滴の成長中の互いに異なる少なくとも３以上の複数タイミングにおいて撮影部の撮影によって得られた少なくとも３以上の複数の画像データに基づき液滴の移動方向を算出し、当該移動方向に基づき点滴筒の状態を検出する。【０００７】
本発明の一形態に係る点滴装置は、ノズルの下端から液滴を滴下させる点滴筒と、上述した点滴状態検出装置とを備える。【０００８】
本発明の一形態に係る点滴状態検出方法は、点滴筒のノズルの下端から成長中の液滴を撮影する撮影部を有する点滴状態検出装置において、当該点滴筒の状態を検出する点滴状態検出方法であって、ノズルの下端において液滴が成長し、その後ノズルの下端から滴下するまでの互いに異なる少なくとも３以上の複数タイミングにおいて撮影部の撮影によって得られた少なくとも３以上の複数の画像データを取得するステップと、取得した複数の画像データに基づき液滴の移動方向を算出するステップと、当該移動方向に基づき点滴筒の状態を検出するステップとを含む。
【発明の効果】
【０００９】
本発明によれば、ノズルの下端から成長中の液滴を撮影部によって互いに異なる少なくとも３以上の複数タイミングにおいて撮影し、得られた少なくとも３以上の複数の画像データに基づき液滴の移動方向を算出することで点滴筒の状態を検出するため、傾斜や振動などの点滴筒の状態を検出するために専用のセンサを特別に備える必要が無い。これにより、撮影部による液滴の撮影を利用してコストを極力抑えながら点滴筒の状態を検出することができる。
【図面の簡単な説明】
【００１０】
【図１】本実施の形態に係る点滴装置の構成を示す模式図である。
【図２】本実施の形態に係る点滴状態検出装置の機能を概略的に示すブロック図である。
【図３】本実施の形態に係る点滴装置において点滴筒の設置態様を示す模式図である。
【図４】本実施の形態に係る点滴状態検出装置において点滴筒の傾斜を検出する方法を説明するための模式図である。
【図５】本実施の形態に係る点滴状態検出装置において点滴筒の振動を検出する方法を説明するための模式図である。
【図６】本実施の形態に係る点滴状態検出装置において点滴筒の振動を検出する方法を詳細に説明するための模式図である。
【図７】本実施の形態に係る点滴状態検出装置が実行する状態検出処理を示すフローチャートである。
【図８】変形例に係る点滴状態検出装置が実行する状態検出処理を示すフローチャートである。
【発明を実施するための形態】
【００１１】
以下に、本発明の実施の形態に係る点滴状態検出装置、点滴装置、および点滴状態検出方法について図面を参照して詳しく説明する。なお、図中の同一符号は、同一部分または相当部分を示す。
【００１２】
［点滴装置の構成］
図１は、本実施の形態に係る点滴装置１の構成を示す模式図である。なお、図１においては、紙面に対して正面を向くように点滴装置１が示されている。
【００１３】
図１に示すように、点滴装置１は、点滴筒５０と、点滴筒５０の状態を検出する点滴状態検出装置１０とを備える。
【００１４】
点滴筒５０は、点滴状態検出装置１０内に収納され、スタンド２に吊り下げられた薬液バッグ３にチューブ４を介して接続されている。スタンド２は、その長尺状の本体が鉛直方向に沿うように設置されている。点滴筒５０は、その下方において患者（図示は省略する）へと至るチューブ５に接続されており、薬液バッグ３内から供給された薬液を、チューブ５を介して患者の体内に供給する。なお、チューブ４およびチューブ５は、樹脂などの可撓性材料を含む。
【００１５】
点滴筒５０の内部にはノズル５５が収納されている。ノズル５５は、その下端５５ａが点滴筒５０の内部に連通し、その上端がチューブ４を介して薬液バッグ３に接続されている。薬液バッグ３内の薬液は、重力によってチューブ４内を流下し、やがてノズル５５の内部に達する。そして、ノズル５５の下端５５ａにおいて液滴が成長し、当該液滴が所定の大きさに成長すると点滴筒５０内で滴下（落下）する。
【００１６】
点滴状態検出装置１０は、取付部６によってスタンド２に固定されている。点滴状態検出装置１０は、電源部２１と、操作部１４と、表示部１１と、音出力部１２と、点灯部１３と、撮影部２２と、照明部２３と、アクチュエータ２５と、制御部２０とを備える。
【００１７】
電源部２１は、二次電池（たとえば、ＮｉＭＨ電池）などの電池を収納し、当該電池からの電力を点滴状態検出装置１０内の各部に供給する。操作部１４は、点滴状態検出装置１０の使用や設定を行うためのユーザ（たとえば、看護士）による操作を受け付ける。
【００１８】
表示部１１は、液晶ディスプレイなどのディスプレイで構成され、制御部２０による制御に基づき、点滴状態検出装置１０の状態や設定内容などの静止画または動画を表示する。音出力部１２は、スピーカやブザーなどで構成され、制御部２０による制御に基づき、所定の警告音を外部に出力する。点灯部１３は、ランプや発光ダイオード（light  emitting  diode：ＬＥＤ）などで構成され、制御部２０による制御に基づき、所定の態様で点灯または点滅する。
【００１９】
撮影部２２は、カメラなどで構成され、制御部２０による制御に基づき、撮像視野に存在する被写体を撮影して画像データを生成する。本実施の形態において、撮影部２２は、被写体としてノズル５５の下端５５ａを撮影する。具体的には、撮影部２２は、ノズル５５の下端５５ａを少なくとも含む領域を撮影領域とし、下端５５ａにおいて液滴が成長してその後ノズル５５の下端５５ａから滴下するまでの様子を、液滴の成長中の互いに異なる少なくとも３以上の複数タイミングで撮影する。なお、点滴筒５０は透明または半透明であるため、成長中の液滴を外部から撮像することが可能である。
【００２０】
照明部２３は、ストロボスコープなどで構成され、撮影部２２の撮影対象となる被写体を照明する。これにより、外光などの外乱があっても、ストロボ照明することで、液滴をより精度良く撮影することができる。また、ストロボ照明することで、１画像のシャッター速度をより早くすることができるため、よりブレの少ない画像を得ることができる。
【００２１】
撮影部２２は、照明部２３から照射される光の波長に対応する感度を有している。たとえば、照明部２３として発光波長が赤外領域にある赤外ＬＥＤ照明を用いた場合、撮影部２２は、赤外線の波長に対応する感度を有している。照明部２３として赤外ＬＥＤ照明を用いた場合、夜間などで患者に点滴を行う場合でも、照明部２３による照明で患者が眩しくなることを極力回避することができる。
【００２２】
さらに、たとえば、照明部２３が赤外ＬＥＤ照明である場合、撮影部２２の前面側（点滴筒５０側）には、可視光線など、赤外より波長の短い側の光をカットするようなフィルタが設けられていてもよい。このようなフィルタによって不要な光をカットすることができる。
【００２３】
なお、点滴状態検出装置１０は、必ずしも照明部２３を備える必要はないが、照明部２３を備えるか否かに関わらず、撮影部２２は、少なくとも可視光の一部の範囲をカットする光学フィルタを備えていてもよい。
【００２４】
また、図１では、照明部２３の光を液滴の背後（撮影部２２と反対側）から照射する例を示したが、これに限るものではない。たとえば、照明部２３の光を撮影部２２と同じ側から液滴に照射してもよく、ノズル５５の下端５５ａと撮影部２２とを結ぶ直線に対して斜めの方向から照明部２３の光を液滴に照射してもよい。
【００２５】
アクチュエータ２５は、リニアステッピングモータなどで構成され、チューブ５を外部から加圧して押しつぶすことで、当該チューブ５内の流路の開度を変更する。リニアステッピングモータは、制御部２０による制御に基づき、軟質のチューブ５を任意の幅に押しつぶすことでチューブ５の流路抵抗を変化させることができ、それによってチューブ５内を流下する薬液の流量を調整することができる。
【００２６】
制御部２０は、マイクロコントローラ（microcontroller：ＭＣＵ）などで構成され、点滴筒５０の状態を検出するための処理を実行するとともに、上述したように、表示部１１、音出力部１２、点灯部１３、撮影部２２、およびアクチュエータ２５といった各部をそれぞれ制御する。
【００２７】
［点滴状態検出装置の構成］
図２は、本実施の形態に係る点滴状態検出装置１０の機能を概略的に示すブロック図である。
【００２８】
図２に示すように、点滴状態検出装置１０の制御部２０は、記憶部２０１と、調整部２０２とを有する。
【００２９】
記憶部２０１は、ＲＡＭ（Random  Access  Memory）などの記憶装置で構成され、撮影部２２による撮影によって得られた複数の画像データ（たとえば、成長中の液滴における一連の画像データ）などを収集して記憶する。
【００３０】
調整部２０２は、記憶部２０１によって保持された成長中の液滴における複数の画像データに基づき液滴の滴下量（流量）を算出するとともに、アクチュエータ２５を制御してチューブ５内を流下する薬液の流量を調整する。なお、複数の画像データに基づき液滴の滴下量を算出する方法としては、たとえば国際公開第２０１６／１１４２６４号（ＷＯ２０１６／１１４２６４Ａ１）などに開示されているような公知の技術を用いればよい。
【００３１】
このように、点滴状態検出装置１０は、撮影部２２によって撮影された成長中の液滴の画像データを利用して、薬液の流量を調整するように構成されている。ここで、点滴状態検出装置１０は、撮影部２２によって撮影された成長中の液滴の画像データをさらに利用して、点滴筒５０の状態を検出するように構成されている。
【００３２】
具体的には、点滴状態検出装置１０の制御部２０は、点滴筒５０の状態検出に関する主な機能部として、状態検出部２０３と、判定部２０４と、報知部２０５とを有する。
【００３３】
状態検出部２０３は、記憶部２０１によって保持された成長中の液滴における複数の画像データに基づき、点滴筒５０の状態を検出する。具体的には、状態検出部２０３は、点滴筒５０の状態として、点滴筒５０の傾斜および振動を検出する。なお、状態検出部２０３は、点滴筒５０の傾斜および振動のうちのいずれか一方のみを点滴筒５０の状態として検出するものであってもよい。状態検出部２０３による検出結果は、判定部２０４に出力される。
【００３４】
判定部２０４は、状態検出部２０３によって検出された点滴筒５０の傾斜および振動に基づき、点滴筒５０の状態が異常であるか否かを判定する。判定部２０４による判定結果は、報知部２０５に出力される。
【００３５】
報知部２０５は、判定部２０４によって点滴筒５０の状態が異常であると判定されたことに基づき、表示部１１、音出力部１２、および点灯部１３のそれぞれを制御して、点滴筒５０の状態異常などを外部に報知する。なお、点滴状態検出装置１０は、表示部１１、音出力部１２、および点灯部１３のうちの少なくともいずれかを備えていればよく、この場合、報知部２０５は、表示部１１による表示、音出力部１２による発音、および点灯部１３による発光の少なくともいずれか一方、またはこれらの組合せによって異常を報知するものであってもよい。
【００３６】
上述したような構成を備える点滴状態検出装置１０によれば、ノズル５５の下端５５ａから成長中の液滴が互いに異なる少なくとも３以上の複数タイミングにおいて撮影部２２によって撮影され、得られた複数の画像データに基づき状態検出部２０３によって点滴筒５０の状態（傾斜,振動）が検出される。そして、状態検出部２０３によって検出された点滴筒５０の状態が異常であると判定部２０４によって判定されたことに基づき、報知部２０５によって点滴筒５０の状態が異常である旨が外部に報知される。
【００３７】
このように、本実施の形態に係る点滴状態検出装置１０によれば、チューブ５内を流下する薬液の流量を調整するために撮影部２２によって撮影された成長中の液滴の画像データを利用して、点滴筒５０の状態を検出するため、点滴筒５０の状態を検出するために専用のセンサ（たとえば、傾き検出センサや振動検出センサ）を特別に備える必要が無い。これにより、撮影部２２による液滴の撮影を利用してコストを極力抑えながら点滴筒５０の状態を検出することができる。
【００３８】
［点滴筒の設置態様］
図３は、本実施の形態に係る点滴装置１において点滴筒５０の設置態様を示す模式図である。なお、図３においては、紙面に対して側面を向くように点滴装置１が示されている。
【００３９】
図３に示すように、点滴装置１は、鉛直方向に沿う鉛直線Ｌに対して所定角度（α）傾けられてスタンド２に固定されている。点滴装置１内に点滴筒５０および撮影部２２が図のように収納されている場合、点滴筒５０および撮影部２２も同様に、鉛直線Ｌに対して所定角度（α）傾けられて配置されることになる。
【００４０】
具体的には、ノズル５５の方向に沿った軸、具体的にはノズル５５の上端とノズル５５の下端５５ａとを結んだ方向に沿った軸をＹ軸、Ｙ軸に対して垂直な軸をＸ軸とした場合、Ｙ軸が鉛直線Ｌに対して所定角度（α）傾けられかつＸ軸が鉛直線Ｌに対して所定角度（β）傾けられて、点滴筒５０の上方がスタンド２に近づく一方で点滴筒５０の下方がスタンド２から遠ざかるように、点滴筒５０が設置されている。そして、撮影部２２は、点滴筒５０を所定角度（α）傾けた面に対して垂直な方向に配置されている。
【００４１】
ノズル５５が鉛直方向（鉛直線Ｌの方向）に沿うように点滴筒５０を配置した場合、下端５５ａから成長して滴下された液滴は、点滴筒５０内に溜まった薬液の液面に対して鉛直方向に衝突し易い。このような場合、液滴の跳ね返りが大きくなり易く、点滴を行う上での不都合が生じる虞がある。一方、本実施の形態のように、ノズル５５が鉛直方向（鉛直線Ｌの方向）に対して所定角度（α）傾けられるように点滴筒５０を配置した場合、下端５５ａから成長して滴下された液滴は、点滴筒５０内に溜まった薬液の液面に対して鉛直方向に衝突し難い。これにより、液滴の跳ね返りを極力小さくすることができ、点滴を行う上での不都合が生じることを極力回避することができる。ここで不具合として、たとえば跳ね返った液滴が点滴筒５０の内壁に付着し撮影部２２の撮像を阻害する虞などがある。
【００４２】
本実施の形態においては、鉛直線Ｌに対するＹ軸の傾斜角度αがαｍｉｎ．よりも大きくかつαｍａｘ．よりも小さくなるように、点滴筒５０が設置されている。なお、αｍｉｎ．およびαｍａｘ．は、それぞれ点滴筒５０の形状や点滴の薬液などによって予め決められた設計値である。傾斜角度αがαｍｉｎ．よりも大きくかつαｍａｘ．よりも小さければ、液滴の跳ね返りによる不都合の発生を極力回避することができる。
【００４３】
［点滴筒の傾斜の検出］
図４は、本実施の形態に係る点滴状態検出装置１０において点滴筒５０の傾斜を検出する方法を説明するための模式図である。ここで、上述の図３に示すように、撮影部２２は、点滴筒５０とともに、鉛直線Ｌに対して所定角度（α）傾けられて配置され、また、図示するように撮影部２２が点滴筒５０の背面側に位置するような位置関係で両者が配置されているとする。図４においては、このような位置関係において、撮影部２２がノズル５５の下端５５ａを撮影することによって得られた画像が示されている。
【００４４】
図４（Ａ）〜（Ｅ）に示すように、ノズル５５の下端５５ａから成長した液滴６１は、重力の働きによって徐々にその成長を進め、やがて下端５５ａから離れて滴下され、その後、下端５５ａから次の液滴６２が成長し始める。このような液滴６１が成長して滴下されるまでの一連の過程において、撮影部２２は複数タイミングで成長中の液滴６１を撮影する。具体的には、撮影部２２は、ノズル５５の下端５５ａにおいて液滴が成長してその後ノズル５５の下端５５ａから滴下するまでの間、互いに異なる少なくとも３以上の複数タイミングで成長中の液滴６１を撮影する。
【００４５】
次に、点滴状態検出装置１０の制御部２０（状態検出部２０３）は、複数の画像データのそれぞれにおいて液滴６１の中心位置を算出する。具体的には、制御部２０は、複数の画像データのそれぞれにおいて液滴６１の外形に対してフィッティングする円を作成し、当該円の中心位置を液滴６１の中心位置とする。液滴６１の外形に対してフィッティングする円とは、たとえば、液滴６１の下部の外郭線に近似した円のことである。この例では、図４（Ａ）〜（Ｅ）に示す複数の画像データのそれぞれにおいて作成された円の中心位置が中心位置ａ１〜中心位置ｅ１として表される。なお、複数の画像データのそれぞれにおいて作成される円は、液滴６１の大きさに応じてその半径が異なるが、図４の例では各円の半径が同じになるように円が示されている。
【００４６】
次に、図４（Ｆ）に示すように、制御部２０（状態検出部２０３）は、撮影部２２によって取得された図４（Ａ）〜（Ｅ）に示す複数の画像を１枚の画像に合成するとともに、円の中心位置ａ１〜中心位置ｅ１に基づき液滴６１の中心位置の移動方向を算出する。具体的には、制御部２０（状態検出部２０３）は、液滴６１の中心位置の移動方向に沿って各中心位置をプロットすることで、液滴６１の移動方向を示す線Ｌ１を求める。
【００４７】
次に、図４（Ｇ）に示すように、制御部２０（状態検出部２０３）は、Ｘ軸に対する線Ｌ１の傾斜角度β’を算出し、算出した傾斜角度β’に基づきＹ軸に対する線Ｌ１の傾斜角度α’を算出する。そして、制御部２０は、傾斜角度α’がαｍｉｎ．よりも大きくかつαｍａｘ．よりも小さいか否かを判定する。制御部２０は、傾斜角度α’がαｍｉｎ．よりも大きくかつαｍａｘ．よりも小さい場合、図３で示したノズル５５の傾斜角度αがαｍｉｎ．よりも大きくかつαｍａｘ．よりも小さいと判断し、点滴筒５０の傾斜が正常であると判断する。一方、制御部２０は、傾斜角度α’がαｍｉｎ．よりも小さい、またはαｍａｘ．よりも大きい場合、図３で示したノズル５５の傾斜角度αがαｍｉｎ．よりも小さい、またはαｍａｘ．よりも大きいと判断し、点滴筒５０の傾斜が異常であると判断する。
【００４８】
なお、制御部２０（状態検出部２０３）は、算出した傾斜角度β’が、βｍｉｎ．よりも大きくかつβｍａｘ．よりも小さいか否かを判定することで、点滴筒５０の傾斜が正常であるか否かを判定してもよい。なお、βｍｉｎ．およびβｍａｘ．は、点滴筒５０の形状や点滴する薬液などによって予め決められた設計値である。
【００４９】
このように、本実施の形態に係る点滴状態検出装置１０によれば、成長中の複数タイミングにおいて撮影部２２の撮影によって得られた複数の画像データに基づき液滴の移動方向を算出し、当該移動方向に基づき点滴筒５０の傾斜を検出することができる。なお、本実施の形態においては、撮影部２２は、ノズル５５の下端５５ａにおいて液滴が成長してその後ノズル５５の下端５５ａから滴下するまでの間、互いに異なる少なくとも３以上の複数タイミングで成長中の液滴を撮影するものであったが、このように少なくとも３以上の複数タイミングで成長中の液滴を撮影することによって、液滴の移動方向を算出するためのサンプルを十分に確保することができるため、より精度良く点滴筒５０の傾斜を検出することができる。なお、ノズル５５の下端５５ａに丁度位置する円の中心位置ａ１が常に同じ位置であることを想定した場合には、液滴が中心位置ａ１に位置する時点での撮影を省略することも可能である。この場合、撮影部２２は、ノズル５５の下端５５ａにおいて液滴が成長してその後ノズル５５の下端５５ａから滴下するまでの間、中心位置ａ１に液滴が位置するタイミングを除く互いに異なる少なくとも２以上の複数タイミングで成長中の液滴を撮影するものであってもよい。さらに、点滴筒５０の傾斜を検出することのみを考えた場合、液滴が移動する２点間を結ぶ直線が算出されればよい。たとえば、図４（Ｇ）に示す例だと、中心位置ａ１〜中心位置ｅ１のうちのいずれか２点を特定できれば、点滴筒５０の傾斜を検出することが可能である。
【００５０】
なお、点滴状態検出装置１０は、図４を参照しながら説明した検出方法に限らず、成長中の複数タイミングにおいて撮影部２２の撮影によって得られた複数の画像データに基づき算出した液滴の移動方向に基づくものであれば、いずれの方法で点滴筒５０の傾斜を検出してもよい。たとえば、点滴状態検出装置１０は、液滴６１の中心位置に基づき液滴６１の移動方向を算出するのではなく、液滴６１の先端位置に基づき液滴６１の移動方向を算出してもよい。
【００５１】
また、撮影部２２による液滴６１の撮影は、調整部２０２によってチューブ５内を流下する薬液の流量を調整する際にも行われる。このため、点滴状態検出装置１０は、薬液の流量を調整する際に取得した複数の画像データを利用して、点滴筒５０の傾斜を検出することで、点滴筒５０の傾斜を検出するために専用のセンサを特別に備える必要が無い。
【００５２】
［点滴筒の振動の検出］
図５は、本実施の形態に係る点滴状態検出装置において点滴筒の振動を検出する方法を説明するための模式図である。なお、図５においても、図４と同様に、上述の図３に示すような位置で撮影部２２がノズル５５の下端５５ａを撮影することによって得られた画像が示されている。
【００５３】
図５（Ａ）〜（Ｅ）に示すように、ノズル５５の下端５５ａから成長した液滴６２は、重力の働きによって徐々にその成長を進め、やがて下端５５ａから離れて滴下され、その後、下端５５ａから次の液滴６３が成長し始める。このような液滴６２が成長して滴下されるまでの一連の過程において、撮影部２２は複数タイミングで成長中の液滴６２を撮影する。具体的には、撮影部２２は、ノズル５５の下端５５ａにおいて液滴が成長してその後ノズル５５の下端５５ａから滴下するまでの間、互いに異なる少なくとも３以上の複数タイミングで成長中の液滴６１を撮影する。
【００５４】
次に、点滴状態検出装置１０の制御部２０（状態検出部２０３）は、複数の画像データのそれぞれにおいて液滴６２の中心位置を算出する。具体的には、制御部２０は、複数の画像データのそれぞれにおいて液滴６２の外形に対してフィッティングする円を作成し、当該円の中心位置を液滴６１の中心位置とする。この例では、図５（Ａ）〜（Ｅ）に示す複数の画像データのそれぞれにおいて作成された円の中心位置が中心位置ａ２〜中心位置ｅ２として表される。なお、複数の画像データのそれぞれにおいて作成される円は、液滴６２の大きさに応じてその半径が異なるが、図５の例では各円の半径が同じになるように円が示されている。
【００５５】
次に、図５（Ｆ）に示すように、制御部２０（状態検出部２０３）は、撮影部２２によって取得された図５（Ａ）〜（Ｅ）に示す複数の画像を１枚の画像に合成するとともに、円の中心位置ａ２〜中心位置ｅ２に基づき液滴６１の中心位置の移動方向を算出する。そして、制御部２０（状態検出部２０３）は、液滴６１の中心位置の移動方向に沿って各中心位置をプロットすることで、液滴６１の移動方向を示す線Ｌ２を求める。
【００５６】
なお、図５（Ａ）〜（Ｆ）を参照しながら説明したような点滴筒５０の振動を検出するために液滴の移動方向を示す線Ｌ２を算出する方法は、図４（Ａ）〜（Ｆ）参照しながら説明したような点滴筒５０の傾斜を検出するために液滴の移動方向を示す線Ｌ１を算出する方法と同じである。すなわち、点滴筒５０の傾斜および振動のいずれを検出する場合であっても、点滴状態検出装置１０の制御部２０は、事前準備として、共通する処理によって液滴の移動方向を算出する。
【００５７】
次に、図５（Ｇ）に示すように、制御部２０（状態検出部２０３）は、液滴の移動方向のばらつきを算出し、当該ばらつきに基づき点滴筒５０の振動を検出する。
【００５８】
点滴筒５０の振動の具体的な検出方法について、図６を参照しながら説明する。図６は、本実施の形態に係る点滴状態検出装置１０において点滴筒５０の振動を検出する方法を詳細に説明するための模式図である。
【００５９】
第１の方法として、制御部２０（状態検出部２０３）は、複数の画像データのそれぞれにおいて算出した液滴の中心位置ａ２〜中心位置ｅ２に対して回帰直線を求め、当該回帰直線とそれぞれの液滴の中心位置との間の距離の分散値に基づき液滴の移動方向のばらつきを算出してもよい。
【００６０】
具体的には、制御部２０は、中心位置ａ２〜中心位置ｅ２のそれぞれに対して、Ｘ軸とＹ軸とにおける座標を算出する。次に、制御部２０は、公知技術である最小二乗法を用いて液滴の各中心位置における座標に対する回帰直線を求める。次に、制御部２０は、液滴の各中心位置と回帰直線との間の距離をそれぞれ算出し、算出した各距離の分散値を算出する。制御部２０は、算出した各距離の分散値が予め決められた閾値（所定値）よりも大きいか否かを判定し、分散値が閾値よりも小さい場合には点滴筒５０の振動が正常である（たとえば、振動なし）と判断する一方、分散値が閾値よりも小さい場合には点滴筒５０の振動が異常である（たとえば、振動あり）と判断する。
【００６１】
なお、上述した閾値は、実験やシミュレーションによって予め決められた設計値であってもよいし、過去の一定期間内における振動検出時に算出された各距離の分散値の平均値や中央値であってもよい。
【００６２】
第２の方法として、制御部２０（状態検出部２０３）は、複数の画像データのそれぞれにおいて算出した液滴の中心位置ａ２〜中心位置ｅ２に基づき各中心位置の間の距離の総和を求め、当該距離の総和に基づき液滴の移動方向のばらつきを算出してもよい。
【００６３】
具体的には、制御部２０は、中心位置ａ２〜中心位置ｅ２のそれぞれに対して、Ｘ軸（ノズル下端に対して水平方向）とＹ軸（ノズル下端に対して垂直方向）とにおける座標を算出する。次に、制御部２０は、各中心位置の間の距離を算出し、算出した各距離の総和を算出する。制御部２０は、算出した各距離の総和が予め決められた閾値よりも大きいか否かを判定し、各距離の総和が閾値よりも小さい場合には点滴筒５０の振動が正常である（たとえば、振動なし）と判断する一方、各距離の総和が閾値よりも小さい場合には点滴筒５０の振動が異常である（たとえば、振動あり）と判断する。
【００６４】
なお、上述した閾値は、実験やシミュレーションによって予め決められた設計値であってもよいし、点滴筒５０の振動が正常である場合における過去の振動検出時に算出された各距離の総和の平均値や中央値であってもよい。
【００６５】
第３の方法として、制御部２０（状態検出部２０３）は、複数の画像データのそれぞれにおいて算出した液滴の中心位置ａ２〜中心位置ｅ２に基づき各中心位置の間の傾斜を求め、当該傾斜の分散値に基づき液滴の移動方向のばらつきを算出してもよい。
【００６６】
具体的には、制御部２０は、中心位置ａ２〜中心位置ｅ２のそれぞれに対して、Ｘ軸とＹ軸とにおける座標を算出する。次に、制御部２０は、各中心位置の間の傾斜を算出し、算出した各傾斜の分散値を算出する。制御部２０は、算出した各傾斜の分散値が予め決められた閾値よりも大きいか否かを判定し、分散値が閾値よりも小さい場合には点滴筒５０の振動が正常である（たとえば、振動なし）と判断する一方、分散値が閾値よりも小さい場合には点滴筒５０の振動が異常である（たとえば、振動あり）と判断する。
【００６７】
なお、上述した閾値は、実験やシミュレーションによって予め決められた設計値であってもよいし、点滴筒５０の振動が正常である場合における過去の振動検出時に算出された各傾斜の分散値の平均値や中央値であってもよい。
【００６８】
第４の方法として、制御部２０（状態検出部２０３）は、複数の画像データのそれぞれにおいて算出した液滴の中心位置ａ２〜中心位置ｅ２に基づき、Ｘ軸方向における各中心位置の間の距離を求め、当該距離の分散値に基づき液滴の移動方向のばらつきを算出してもよい。
【００６９】
具体的には、制御部２０は、中心位置ａ２〜中心位置ｅ２のそれぞれに対して、Ｘ軸における座標を算出する。次に、制御部２０は、Ｘ軸方向における各中心位置の間の距離を算出し、算出したＸ軸方向における各距離の分散値を算出する。制御部２０は、算出したＸ軸方向における各距離の分散値が予め決められた閾値よりも大きいか否かを判定し、分散値が閾値よりも小さい場合には点滴筒５０の振動が正常である（たとえば、振動なし）と判断する一方、分散値が閾値よりも小さい場合には点滴筒５０の振動が異常である（たとえば、振動あり）と判断する。
【００７０】
なお、上述した閾値は、実験やシミュレーションによって予め決められた設計値であってもよいし、点滴筒５０の振動が正常である場合における過去の振動検出時に算出されたＸ軸方向における各距離の分散値の平均値や中央値であってもよい。
【００７１】
第５の方法として、制御部２０（状態検出部２０３）は、複数の画像データのそれぞれにおいて算出した液滴の中心位置ａ２〜中心位置ｅ２に基づき、Ｙ軸方向における各中心位置の間の距離を求め、当該距離の分散値に基づき液滴の移動方向のばらつきを算出してもよい。
【００７２】
具体的には、制御部２０は、中心位置ａ２〜中心位置ｅ２のそれぞれに対して、Ｙ軸における座標を算出する。次に、制御部２０は、Ｙ軸方向における各中心位置の間の距離を算出し、算出したＹ軸方向における各距離の分散値を算出する。制御部２０は、算出したＹ軸方向における各距離の分散値が予め決められた閾値よりも大きいか否かを判定し、分散値が閾値よりも小さい場合には点滴筒５０の振動が正常である（たとえば、振動なし）と判断する一方、分散値が閾値よりも小さい場合には点滴筒５０の振動が異常である（たとえば、振動あり）と判断する。
【００７３】
なお、上述した閾値は、実験やシミュレーションによって予め決められた設計値であってもよいし、点滴筒５０の振動が正常である場合における過去の振動検出時に算出されたＹ軸方向における各距離の分散値の平均値や中央値であってもよい。
【００７４】
第６の方法として、制御部２０（状態検出部２０３）は、点滴筒５０の振動により成長中の液滴の形状が変化することを利用して、複数の画像データのそれぞれにおいて液滴の外形に対してフィッティングする円を作成するとともに当該円の半径を求め、当該半径の分散値に基づき液滴の移動方向のばらつきを算出してもよい。
【００７５】
上述したように、複数の画像データのそれぞれにおいて作成される円は、液滴の大きさに応じてその半径が異なる。そこで、制御部２０は、複数の画像データのそれぞれにおいて作成される円の半径を算出し、算出した各半径の分散値を算出する。制御部２０は、算出した各半径の分散値が予め決められた閾値よりも大きいか否かを判定し、分散値が閾値よりも小さい場合には点滴筒５０の振動が正常である（たとえば、振動なし）と判断する一方、分散値が閾値よりも小さい場合には点滴筒５０の振動が異常である（たとえば、振動あり）と判断する。
【００７６】
なお、上述した閾値は、実験やシミュレーションによって予め決められた設計値であってもよいし、点滴筒５０の振動が正常である場合における過去の振動検出時に算出された各半径の分散値の平均値や中央値であってもよい。
【００７７】
このように、本実施の形態に係る点滴状態検出装置１０によれば、成長中の複数タイミングにおいて撮影部２２の撮影によって得られた複数の画像データに基づき液滴の移動方向を算出し、当該移動方向に基づき点滴筒５０の振動を検出することができる。なお、本実施の形態においては、撮影部２２は、ノズル５５の下端５５ａにおいて液滴が成長してその後ノズル５５の下端５５ａから滴下するまでの間、互いに異なる少なくとも３以上の複数タイミングで成長中の液滴を撮影するものであったが、このように少なくとも３以上の複数タイミングで成長中の液滴を撮影することによって、液滴の移動方向を算出するためのサンプルを十分に確保することができるため、より精度良く点滴筒５０の振動を検出することができる。なお、ノズル５５の下端５５ａに丁度位置する円の中心位置ａ１が常に同じ位置であることを想定した場合には、液滴が中心位置ａ１に位置する時点での撮影を省略することも可能である。この場合、撮影部２２は、ノズル５５の下端５５ａにおいて液滴が成長してその後ノズル５５の下端５５ａから滴下するまでの間、中心位置ａ１に液滴が位置するタイミングを除く互いに異なる少なくとも２以上の複数タイミングで成長中の液滴を撮影するものであってもよい。
【００７８】
なお、点滴状態検出装置１０は、図５および図６を参照しながら説明した検出方法に限らず、成長中の複数タイミングにおいて撮影部２２の撮影によって得られた複数の画像データに基づき算出した液滴の移動方向に基づくものであれば、いずれの方法で点滴筒５０の振動を検出してもよい。
【００７９】
また、撮影部２２による液滴６１の撮影は、調整部２０２によってチューブ５内を流下する薬液の流量を調整する際にも行われる。このため、点滴状態検出装置１０は、薬液の流量を調整する際に取得した複数の画像データを利用して、点滴筒５０の振動を検出することで、点滴筒５０の振動を検出するために専用のセンサを特別に備える必要が無い。
【００８０】
［状態検出処理］
図７は、本実施の形態に係る点滴状態検出装置１０が実行する状態検出処理を示すフローチャートである。
【００８１】
点滴状態検出装置１０は、点滴が行われている間に少なくとも状態検出処理を１回以上実行する。たとえば、点滴状態検出装置１０は、点滴が開始するタイミングで状態検出処理を実行してもよいし、点滴が行われている間において定期的に状態検出処理を実行してもよい。また、点滴状態検出装置１０は、調整部２０２によってチューブ５内を流下する薬液の流量を調整する処理に合わせて状態検出処理を実行してもよい。
【００８２】
図７に示すように、点滴状態検出装置１０は、ノズル５５の下端５５ａから成長中の複数タイミングにおいて撮影部２２の撮影によって得られた複数の画像データを取得する（Ｓ２）。次に、点滴状態検出装置１０は、複数の画像データのそれぞれにおいて液滴の外形に対してフィッティングする円を作成する（Ｓ４）。次に、点滴状態検出装置１０は、１滴分の滴下が完了したか否かを判定する（Ｓ６）。
【００８３】
点滴状態検出装置１０は、１滴分の滴下が完了していない場合（Ｓ６：ＮＯ）、Ｓ２の処理に戻る。一方、点滴状態検出装置１０は、１滴分の滴下が完了した場合（Ｓ６：ＹＥＳ）、各円の中心位置に基づき液滴の移動方向を算出する（Ｓ８）。そして、点滴状態検出装置１０は、図４を参照しながら説明した方法に基づき、点滴筒５０の傾斜を検出する（Ｓ１０）。
【００８４】
次に、点滴状態検出装置１０は、点滴筒５０の傾斜が異常であるか否かを判定する（Ｓ１２）。点滴状態検出装置１０は、点滴筒５０の傾斜が異常である場合（Ｓ１２：ＹＥＳ）、表示部１１による表示、音出力部１２による発音、および点灯部１３による発光の少なくともいずれか一方、またはこれらの組合せによって点滴筒５０の傾斜が異常である旨を報知するとともに、撮影部２２による液滴の撮影を中止する（Ｓ１４）。なお、点滴状態検出装置１０は、点滴筒５０の傾斜が異常である場合（Ｓ１２：ＹＥＳ）、点滴筒５０の傾斜が異常である旨を報知すること、および撮影部２２による液滴の撮影を中止することの少なくともいずれか一方のみを行うものであってもよい。その後、点滴状態検出装置１０は、状態検出処理を終了する。
【００８５】
なお、点滴状態検出装置１０は、点滴筒５０の傾斜が異常であると判定した場合、後述するＳ１６以降の処理を実行することがないため、点滴筒５０の振動が異常であるか否かの判定を行わない。このように、点滴筒５０が傾斜している場合には、点滴筒５０の振動が異常であるか否かを判定するためのＳ１６以降の処理をスキップすることで、処理を簡素化することができる。
【００８６】
一方、点滴状態検出装置１０は、点滴筒５０の傾斜が異常でない場合（Ｓ１２：ＮＯ）、図５および図６を参照しながら説明した方法に基づき、液滴の移動方向のばらつきを算出するとともに（Ｓ１６）、点滴筒５０の振動を検出する（Ｓ１８）。
【００８７】
次に、点滴状態検出装置１０は、点滴筒５０の振動が異常であるか否かを判定する（Ｓ２０）。点滴状態検出装置１０は、点滴筒５０の振動が異常である場合（Ｓ２０：ＹＥＳ）、表示部１１による表示、音出力部１２による発音、および点灯部１３による発光の少なくともいずれか一方、またはこれらの組合せによって点滴筒５０の振動が異常である旨を報知するとともに、撮影部２２による液滴の撮影を中止する（Ｓ２２）。なお、点滴状態検出装置１０は、点滴筒５０の振動が異常である場合（Ｓ２０：ＹＥＳ）、点滴筒５０の振動が異常である旨を報知すること、および撮影部２２による液滴の撮影を中止することの少なくともいずれか一方のみを行うものであってもよい。その後、点滴状態検出装置１０は、状態検出処理を終了する。
【００８８】
一方、点滴状態検出装置１０は、点滴筒５０の振動が異常でない場合（Ｓ２０：ＮＯ）、点滴筒５０の傾斜および振動が正常であるため、状態検出処理を終了する。
【００８９】
このように、点滴状態検出装置１０は、状態検出処理を実行することによって、ノズル５５の下端５５ａから点滴が成長中の複数タイミングにおいて撮影部２２の撮影によって得られた複数の画像データを取得し（Ｓ２）、取得した複数の画像データに基づき液滴の移動方向を算出し（Ｓ８）、当該移動方向に基づき点滴筒の傾斜を検出する（Ｓ１０）。そして、点滴状態検出装置１０は、検出した点滴筒５０の傾斜に基づき当該点滴筒５０の傾斜が異常であるか否かを判定し（Ｓ１２）、点滴筒５０の傾斜が異常であると判定した場合に当該異常を報知したり、撮影部２２による液滴の撮影を中止したりする（Ｓ１４）。また、点滴状態検出装置１０は、点滴筒５０の傾斜が異常でない場合、算出した液滴の移動方向に基づき点滴筒の振動を検出する（Ｓ１８）。そして、点滴状態検出装置１０は、検出した点滴筒５０の振動に基づき当該点滴筒５０の振動が異常であるか否かを判定し（Ｓ２０）、点滴筒５０の振動が異常であると判定した場合に当該異常を報知したり、撮影部２２による液滴の撮影を中止したりする（Ｓ２２）。
【００９０】
［変形例］
本実施の形態に係る点滴状態検出装置１０は、図７に示す状態検出処理において、先に点滴筒５０の傾斜を検出するとともに当該傾斜が異常であるか否かを判定し、傾斜が異常でない場合に、次に点滴筒５０の振動を検出するとともに当該傾斜が異常であるか否かを判定するものであったが、これに限らず、点滴状態検出装置１０は、先に点滴筒５０の振動が異常であるか否かを判定し、次に点滴筒５０の傾斜が異常であるか否かを判定するものであってもよい。
【００９１】
たとえば、図８は、変形例に係る点滴状態検出装置が実行する状態検出処理を示すフローチャートである。
【００９２】
図８に示すＳ１０２〜Ｓ１０８は、それぞれ図７に示すＳ２〜Ｓ８の処理と同じである。点滴状態検出装置１０は、Ｓ１０２〜Ｓ１０８の処理によって１滴分の液滴の移動方向を算出した後、液滴の移動方向のばらつきを算出するとともに（Ｓ１１０）、点滴筒５０の振動を検出する（Ｓ１１２）。
【００９３】
次に、点滴状態検出装置１０は、点滴筒５０の振動が異常であるか否かを判定し（Ｓ１１４）、点滴筒５０の振動が異常である場合（Ｓ１１４：ＹＥＳ）、表示部１１による表示、音出力部１２による発音、および点灯部１３による発光の少なくともいずれか一方、またはこれらの組合せによって点滴筒５０の振動が異常である旨を報知するとともに、撮影部２２による液滴の撮影を中止する（Ｓ１１６）。なお、点滴状態検出装置１０は、点滴筒５０の振動が異常である場合（Ｓ１１４：ＹＥＳ）、点滴筒５０の振動が異常である旨を報知すること、および撮影部２２による液滴の撮影を中止することの少なくともいずれか一方のみを行うものであってもよい。その後、点滴状態検出装置１０は、状態検出処理を終了する。すなわち、点滴状態検出装置１０は、先に点滴筒５０の振動を検出し、当該振動が異常であると判定した場合、後述するＳ１１８以降の処理において点滴筒５０の傾斜が異常であるか否かの判定を行わない。
【００９４】
一方、点滴状態検出装置１０は、点滴筒５０の振動が異常でない場合（Ｓ１１４：ＮＯ）、点滴筒５０の傾斜を検出する（Ｓ１１８）。次に、点滴状態検出装置１０は、点滴筒５０の傾斜が異常であるか否かを判定する（Ｓ１２０）。点滴状態検出装置１０は、点滴筒５０の傾斜が異常である場合（Ｓ１２０：ＹＥＳ）、表示部１１による表示、音出力部１２による発音、および点灯部１３による発光の少なくともいずれか一方、またはこれらの組合せによって点滴筒５０の傾斜が異常である旨を報知するとともに、撮影部２２による液滴の撮影を中止する（Ｓ１２２）。なお、点滴状態検出装置１０は、点滴筒５０の傾斜が異常である場合（Ｓ１２０：ＹＥＳ）、点滴筒５０の傾斜が異常である旨を報知すること、および撮影部２２による液滴の撮影を中止することの少なくともいずれか一方のみを行うものであってもよい。その後、点滴状態検出装置１０は、状態検出処理を終了する。一方、点滴状態検出装置１０は、点滴筒５０の傾斜が異常でない場合（Ｓ１２０：ＮＯ）、点滴筒５０の傾斜および振動が正常であるため、状態検出処理を終了する。
【００９５】
このように、点滴状態検出装置１０は、先に点滴筒５０の振動が異常であるか否かを判定し、次に点滴筒５０の傾斜が異常であるか否かを判定してもよく、先に点滴筒５０の振動が異常であると判定した場合、点滴筒５０の傾斜が異常であるか否かの判定を行わなくてもよい。たとえば、点滴装置１の設定作業中にユーザ（たとえば、看護士）が点滴装置１を振動させた場合、点滴装置１の傾斜の異常を判定しても誤った判定となる。そのため、先に点滴筒５０の振動が異常であると判定した場合でも運んでいる最中に点滴筒５０が振動している場合には、点滴筒５０の傾斜が異常であるか否かを判定するためのＳ１１８以降の処理をスキップすることで、無駄な処理を回避することができる処理を簡素化することができる。
【００９６】
なお、図８の処理において、点滴状態検出装置１０は、Ｓ１１６の処理を実行しないものであってもよい。すなわち、点滴状態検出装置１０は、点滴筒５０の振動が異常であると判定した場合、当該振動が異常である旨を報知することなく、状態検出処理を終了してもよい。たとえば、点滴装置１を使用中のユーザ（たとえば、患者）が移動する際に、点滴装置１を振動させる度に点滴筒５０の振動の異常を報知していたのではユーザが煩わしく感じる。このため、点滴筒５０の振動が異常であると判定した場合でも、点滴筒５０の振動の異常を報知しないようにすることで、ユーザが点滴装置１を運んでいる最中に点滴筒５０が振動している場合には、振動が異常である旨が報知されることがないため、ユーザが煩わしく感じることを回避することができる。
【００９７】
本実施の形態においては、図３に示すように、点滴筒５０が鉛直方向に沿う鉛直線Ｌに対して所定角度（α）傾けられて配置されるとともに、撮影部２２も同様に鉛直線Ｌに対して所定角度（α）傾けられて配置されていたが、これに限らず、点滴筒５０が鉛直方向に沿う鉛直線Ｌに対して所定角度（α）傾けられて配置される一方で、撮影部２２は傾けられることなく鉛直線Ｌに対して真っ直ぐに配置されてもよい。この場合、撮影部２２による撮影によって得られる画像においては、ノズル５５の下端５５ａが斜めに写し出されるが、点滴状態検出装置１０は、上述した本実施の形態に係る状態検出処理と同様の処理によって点滴筒５０の傾斜および振動を検出することができる。
【００９８】
今回開示された実施の形態はすべての点で例示であって制限的なものではないと考えられるべきである。本発明の範囲は、上記した説明ではなく、請求の範囲によって示され、請求の範囲と均等の意味および範囲内でのすべての変更が含まれることが意図される。
【符号の説明】
【００９９】
１  点滴装置、２  スタンド、３  薬液バッグ、４，５  チューブ、６  取付部、１０  点滴状態検出装置、１１  表示部、１２  音出力部、１３  点灯部、１４  操作部、２０  制御部、２１  電源部、２２  撮影部、２３  照明部、２５  アクチュエータ、５０  点滴筒、５５  ノズル、５５ａ  下端、６１，６２，６３  液滴、２０１  記憶部、２０２  調整部、２０３  状態検出部、２０４  判定部、２０５  報知部。
【図１】
2019167636.tif 000003
【図２】
2019167636.tif 000004
【図３】
2019167636.tif 000005
【図４】
2019167636.tif 000006
【図５】
2019167636.tif 000007
【図６】
2019167636.tif 000008
【図７】
2019167636.tif 000009
【図８】
2019167636.tif 000010
【国際調査報告】
2019167636.tif 000011
2019167636.tif 000012
2019167636.tif 000013
2019167636.tif 000014